(57)【要約】      （修正有）【課題】簡素な構成でブレーキペダルとアクセルペダルとの踏み間違い事故による被害を低減ないし踏み間違い事故の発生を抑制できる、車両用制御装置を提供する。【解決手段】足踏み操作によりアクセルペダルに加えられる踏力が検出されて（Ｓ１）、その踏力が異常判定値を超える異常な値と判定される場合には（Ｓ２：ＹＥＳ）、車速および走行レンジに応じて（Ｓ３，Ｓ４）、エンジンの出力が抑制されて、車両の駆動輪に伝達される駆動力が抑制される（Ｓ５，Ｓ６）。【選択図】図２
2019064413.tif 000002
【特許請求の範囲】
【請求項１】
足踏み操作されるアクセルペダルおよびブレーキペダルを備える車両用の制御装置であって、
前記アクセルペダルに加えられる踏力を検出する踏力検出手段と、
前記踏力検出手段により検出される踏力が異常と判定される場合に、前記車両の駆動輪に伝達される駆動力を抑制する駆動力抑制手段とを含む、制御装置。
【発明の詳細な説明】
【技術分野】
【０００１】
本発明は、車両用制御装置に関する。
【背景技術】
【０００２】
最近、車両の運転免許所持者の高齢化に伴い、車両のブレーキペダルとアクセルペダルとの踏み間違い事故、すなわち、運転者が車両を停止させるつもりでアクセルペダルとブレーキペダルを踏み誤り、車両が運転者の意思に反して加速することによる事故が多発している。
【０００３】
この踏み間違い事故の発生を抑制するため、種々の装置が開発されている。
【０００４】
たとえば、カメラ、ミリ波レーダまたはレーザレーダなどのセンサが車両に搭載されて、そのセンサにより車両の前方における障害物の存在が検出される場合に、エンジンの出力を抑制することにより、アクセルペダルが誤って踏み込まれることによる車両の加速を防止する装置が開発されている。しかしながら、この装置では、車両の前方の障害物が柵などであるためにセンサにより良好に検出されなかったり、アクセルペダルが一旦戻された後に再び踏み込まれた場合、その再踏み込みが誤操作によるものであってもエンジンの出力の抑制が解除されたりすることがある。
【０００５】
また、アクセルペダルとブレーキペダルとを１つのペダルに一体化して、そのペダルに足の踵を置いたまま爪先でペダルを踏む操作をブレーキ操作とし、ペダルに足の踵を置いたまま足でペダルを右側にスライドさせる操作をアクセル操作とする装置が開発されている。ところが、この装置を車両に導入するにはコストがかかり、また、アクセル操作に慣れが必要となる。
【先行技術文献】
【特許文献】
【０００６】
【特許文献１】特開２０１４−２２７８７７号公報
【発明の概要】
【発明が解決しようとする課題】
【０００７】
本発明の目的は、簡素な構成でブレーキペダルとアクセルペダルとの踏み間違い事故による被害を低減ないし踏み間違い事故の発生を抑制できる、車両用制御装置を提供することである。
【課題を解決するための手段】
【０００８】
前記の目的を達成するため、本発明に係る車両用制御装置は、足踏み操作されるアクセルペダルおよびブレーキペダルを備える車両用の制御装置であって、前記アクセルペダルに加えられる踏力を検出する踏力検出手段と、前記踏力検出手段により検出される踏力が異常と判定される場合に、前記車両の駆動輪に伝達される駆動力を抑制する駆動力抑制手段とを含む。
【０００９】
アクセルペダルとブレーキペダルとの踏み間違いにより車両が運転者の意思に反して加速した場合、運転者は、ブレーキペダルを踏んでいるのにブレーキが効かないと勘違いし、車両を停止させようとして、アクセルペダルを強く踏む。この場合、アクセルペダルの操作量が最大に達してもアクセルペダルがさらに踏み込まれて、異常な大きさの踏力がアクセルペダルに加えられる。
【００１０】
そこで、足踏み操作によりアクセルペダルに加えられる踏力が検出されて、その踏力が異常と判定される場合には、車両の駆動輪に伝達される駆動力が抑制される。これにより、アクセルペダルとブレーキペダルとの踏み間違いによる車両の急発進および急加速を抑制できる。その結果、踏み間違い事故による被害を低減ないし踏み間違い事故の発生を抑制することができる。しかも、駆動力を抑制するために追加されるハードウェアは、アクセルペダルに加えられる踏力を検出するための構成（センサやスイッチなど）のみであるから、ハード構成が簡素ですむ。
【発明の効果】
【００１１】
本発明によれば、簡素なハード構成でアクセルペダルとブレーキペダルとの踏み間違いによる車両の急発進および急加速を抑制でき、その結果、踏み間違い事故による被害を低減ないし踏み間違い事故の発生を抑制できる。
【図面の簡単な説明】
【００１２】
【図１】車両の要部の構成を示す図である。
【図２】駆動力抑制制御の流れを示すフローチャートである。
【発明を実施するための形態】
【００１３】
以下では、本発明の実施の形態について、添付図面を参照しつつ詳細に説明する。
【００１４】
＜車両の構成＞
図１は、車両１の要部の構成を示す図である。
【００１５】
車両１は、ＦＦ（Front-engine Front-wheel-drive：フロントエンジン・フロントドライブ）方式の四輪自動車である。すなわち、車両１の車体２の左前部および右前部には、それぞれ前輪３Ｌ，３Ｒが設けられ、車体２の左後部および右後部には、それぞれ後輪４Ｌ，４Ｒが設けられている。また、車体２の前部には、エンジンコンパートメントが設けられており、そのエンジンコンパートメントには、エンジン５およびトランスミッション６が配置されている。エンジン５の出力は、トランスミッション６で変速されてデファレンシャルギヤ（図示せず）に伝達され、デファレンシャルギヤから左右のドライブシャフト７Ｌ，７Ｒを介してそれぞれ前輪３Ｌ，３Ｒに伝達される。
【００１６】
エンジン５には、エンジン５の燃焼室への吸気量を調整するための電子スロットルバルブ、燃料を吸入空気に噴射するインジェクタ（燃料噴射装置）および燃焼室内に電気放電を生じさせる点火プラグなどが設けられている。また、エンジン５には、その始動のためのスタータが付随して設けられている。
【００１７】
トランスミッション６は、自動変速機であり、有段式の自動変速機（ＡＴ：Automatic Transmission）であってもよいし、無段変速機（ＣＶＴ：Continuously Variable Transmission）であってもよい。また、トランスミッション６は、動力分割式無段変速機であってもよい。動力分割式無段変速機は、たとえば、変速比の変更により動力を無段階に変速するベルト式の無段変速機構を備え、インプット軸とアウトプット軸との間で動力を２つの経路に分岐して伝達可能な変速機である。
【００１８】
エンジンコンパートメントとダッシュパネルにより隔離される車室内には、運転席が設けられており、その運転席とダッシュパネルとの間には、車両１の加速のために足踏み操作されるアクセルペダル８と、車両１の制動のために足踏み操作されるブレーキペダル９とが設けられている。
【００１９】
また、ダッシュパネルには、車室側にメータパネル１０が設けられている。メータパネル１０には、車速やエンジン回転数を表示するメータのほか、各種の情報を表示するための液晶ディスプレイなどの表示器が配置されている。
【００２０】
車両１には、マイコン（マイクロコントローラユニット）を含む構成のＥＣＵ（Electronic Control Unit：電子制御ユニット）が備えられている。マイコンには、たとえば、ＣＰＵ、ＲＯＭおよびＲＡＭ、データフラッシュ（フラッシュメモリ）などが内蔵されている。図１には、１つのＥＣＵ２１のみが示されているが、車両１には、各部を制御するため、ＥＣＵ２１と同様の構成を有する複数のＥＣＵが搭載されている。ＥＣＵ２１を含む複数のＥＣＵは、ＣＡＮ（Controller Area Network）通信プロトコルによる双方向通信が可能に接続されている。
【００２１】
ＥＣＵ２１には、制御に必要な各種センサ、たとえば、車輪速センサ２２および踏力センサ２３が接続されている。車輪速センサ２２は、前輪３Ｌ，３Ｒおよび後輪４Ｌ，４Ｒの各車輪に関連して設けられ、車輪の回転に同期したパルス信号を検出信号として出力する。踏力センサ２３は、アクセルペダル８に加えられる踏力に応じた検出信号を出力する。
【００２２】
ＥＣＵ２１では、各車輪速センサ２２の検出信号から前輪３Ｌ，３Ｒおよび後輪４Ｌ，４Ｒの各車輪の車輪速が算出され、たとえば、メータパネル１０のメータに表示される車速として、前輪３Ｌ，３Ｒおよび後輪４Ｌ，４Ｒの各車輪の車輪速の平均値から車速が算出される。また、ＥＣＵ２１では、踏力センサ２３の検出信号からアクセルペダル８に加えられた踏力が検出される。
【００２３】
ＥＣＵ２１には、エンジン５の制御のためのエンジン制御ロジックと、トランスミッション６の制御のための変速制御ロジックとが組まれている。エンジン制御ロジックにより、エンジン５の始動、停止および出力調整などのため、エンジン５に設けられた電子スロットルバルブ、インジェクタおよび点火プラグなどが制御される。変速制御ロジックにより、トランスミッション６の変速比の制御などのため、トランスミッション６の各部に油圧を供給するための油圧回路に含まれる各種のバルブなどが制御される。また、ＥＣＵ２１により、メータパネル１０の表示が制御される。
【００２４】
＜駆動力抑制制御＞
図２は、駆動力抑制制御の流れを示すフローチャートである。
【００２５】
アクセルペダル８とブレーキペダル９との踏み間違いによる事故の発生を抑制するため、車両１のイグニッションスイッチがオンである間、ＥＣＵ２１により、図２に示される駆動力抑制制御が実行される。
【００２６】
駆動力抑制制御では、踏力センサ２３の検出信号からアクセルペダル８に加えられた踏力が検出される（ステップＳ１）。
【００２７】
そして、その検出された踏力が予め設定された異常判定値を超えているか否かが判別される（ステップＳ２）。
【００２８】
アクセルペダル８とブレーキペダル９との踏み間違いにより車両１が運転者の意思に反して加速した場合、運転者は、ブレーキペダル９を足踏み操作しているのにブレーキが効かないと勘違いし、車両１を停止させようとして、アクセルペダル８を強く踏む。この場合、アクセルペダル８の操作量が最大に達してもアクセルペダル８がさらに踏み込まれて、異常な大きさの踏力がアクセルペダル８に加えられる。そこで、異常判定値は、アクセルペダル８に加えられる踏力が、アクセルペダル８が最大まで足踏み操作された状態からさらに足踏み操作された場合に超えるような値に設定されている。
【００２９】
踏力が異常判定値を超えていない場合（ステップＳ２のＮＯ）、それ以後の処理は実行されず、駆動力抑制制御が終了される。駆動力抑制制御の終了後の所定のタイミングで、駆動力抑制制御が再び実行される。
【００３０】
踏力が異常判定値を超えている場合（ステップＳ２のＹＥＳ）、車速が所定車速以下であるか否かが判別される（ステップＳ３）。アクセルペダル８とブレーキペダル９とが踏み間違いにより、たとえば、駆動輪である前輪３Ｌ，３Ｒが駐車場の車輪止めを乗り越えた場合、前輪３Ｌ，３Ｒが空転するので、前輪３Ｌ，３Ｒの車輪速が車速の算出に用いられると、車速が正確に検出されないおそれがある。そのため、この判別に用いられる車速は、前輪３Ｌ，３Ｒおよび後輪４Ｌ，４Ｒの各車輪の車輪速の平均値から算出される車速であってもよいが、後輪４Ｌ，４Ｒの車輪速の平均値から算出されることが好ましい。
【００３１】
車速が所定車速以下でない場合、つまり車速が所定車速を超えている場合（ステップＳ３のＮＯ）、それ以後の処理は実行されず、駆動力抑制制御が終了される。
【００３２】
車速が所定車速以下である場合（ステップＳ３のＹＥＳ）、車両１が所在する路面が勾配を有しており、その路面を登坂する方向の走行レンジが選択されているか否かが判別される（ステップＳ４）。トランスミッション６は、Ｐ（パーキング）レンジ、Ｒ（リバース）レンジ、Ｎ（ニュートラル）レンジおよびＤ（ドライブ）レンジを含むシフトレンジ（変速レンジ）を有している。車両１の所在する路面が前上がりに傾斜している場合に、トランスミッション６の変速レンジがＤレンジ（前進方向の走行レンジ）であれば、登坂方向の走行レンジが選択されていると判別される。また、車両１の所在する路面が後上がりに傾斜している場合に、トランスミッション６の変速レンジがＲレンジ（後進方向の走行レンジ）であれば、登坂方向の走行レンジが選択されていると判別される。
【００３３】
登坂方向の走行レンジが選択されていない場合（ステップＳ４のＮＯ）、エンジン５の出力（駆動力）が相対的に大きく抑制されるように（ステップＳ５）、たとえば、電子スロットルバルブの開度が第１所定量だけ低減される。
【００３４】
一方、登坂方向の走行レンジが選択されている場合（ステップＳ４のＹＥＳ）、エンジン５の出力が相対的に小さく抑制されるように（ステップＳ６）、たとえば、電子スロットルバルブの開度が第１所定量よりも小さい第２所定量だけ低減される。
【００３５】
そして、「アクセルペダルを強く踏みすぎています」などのメッセージがメータパネル１０に表示または音声により報知されるか、または、その表示および音声の両方により報知されて（ステップＳ７）、駆動力抑制制御が終了される。
【００３６】
＜作用効果＞
以上のように、足踏み操作によりアクセルペダル８に加えられる踏力が検出されて、その踏力が異常判定値を超える異常な値と判定される場合には、エンジン５の出力が抑制されて、車両１の駆動輪である前輪３Ｌ，３Ｒに伝達される駆動力が抑制される。これにより、アクセルペダル８とブレーキペダル９との踏み間違いによる車両１の急発進および急加速を抑制できる。しかも、駆動力抑制制御に必要となるハードウェアは、踏力センサ２３のみであるから、ハード構成が簡素ですむ。
【００３７】
よって、簡素なハード構成でアクセルペダル８とブレーキペダル９との踏み間違いによる車両１の急発進および急加速を抑制でき、その結果、踏み間違い事故による被害を低減ないし踏み間違い事故の発生を抑制できる。
【００３８】
＜変形例＞
以上、本発明の実施の形態について説明したが、本発明は、他の形態で実施することもできる。
【００３９】
たとえば、踏力センサ２３は、アクセルペダル８に加えられる踏力に応じた検出信号を出力する構成のものに限らず、たとえば、アクセルペダル８に加えられる踏力が異常判定値を超えると、接点が閉じて、接点が開いているときとはレベルの異なる信号を出力するスイッチであってもよい。
【００４０】
その他、前述の構成には、特許請求の範囲に記載された事項の範囲で種々の設計変更を施すことが可能である。
【符号の説明】
【００４１】
１：車両
３Ｌ，３Ｒ：前輪（駆動輪）
８：アクセルペダル
９：ブレーキペダル
２１：ＥＣＵ（制御装置、駆動力抑制手段）
２３：踏力センサ（踏力検出手段）
【図１】
2019064413.tif 000003
【図２】
2019064413.tif 000004